(57)【要約】【課題】マニュアルフォーカス操作に際に、適切な操作性およびピント合わせ感度を実現できる撮像装置を提供する。【解決手段】撮像装置では、フォーカスリングが設けられ、マニュアルフォーカス操作が可能な構成となっている。このフォーカスリングを回転させる場合には焦点距離が変化するが、各焦点距離とフォーカスレンズ実移動量との関係を示す曲線Ｃｂのように、焦点評価値が大きい場合、特にＰｍａｘを越える場合には、フォーカスレンズの実移動量が抑制される。よって、合焦位置に近くなるとフォーカスリングの単位変位量あたりのフォーカスレンズの実移動量が減少するため、高精度にピント合わせを行えることとなる。その結果、マニュアルフォーカス操作に際に、適切な操作性およびピント合わせ感度を実現できる。【選択図】　　　　図６
2004102113.tif 000002
【特許請求の範囲】
【請求項１】
撮影レンズと撮像部とを有する撮像装置であって、
（ａ）操作入力による操作部材の変位に応じて、前記撮影レンズに係るレンズ配置を変化させる手段と、
（ｂ）前記操作入力に対する前記操作部材の操作負荷を変更する変更手段と、
（ｃ）各レンズ配置について前記撮像部における合焦度合いを検出する検出手段と、
（ｄ）前記合焦度合いの増加に応じて、前記操作負荷を増加させる制御手段と、を備えることを特徴とする撮像装置。
【請求項２】
請求項１に記載の撮像装置において、
（ｅ）前記操作部材の変位に連動して回転されるモータを有する電気回路、
をさらに備え、
前記変更手段は、
（ｂ−１）前記電気回路の特性を変化させることにより、前記操作負荷を変更する手段、
を有することを特徴とする撮像装置。
【請求項３】
請求項１または請求項２に記載の撮像装置において、
（ｆ）前記操作部材に圧接する圧接部材、
をさらに備え、
前記変更手段は、
（ｂ−２）前記操作部材に対する前記圧接部材の加圧力を変化させることにより、前記操作負荷を変更する手段、
をさらに有することを特徴とする撮像装置。
【請求項４】
撮影レンズと撮像部とを有する撮像装置であって、
（ａ）操作入力による操作部材の変位に応じて、前記撮影レンズに係るレンズ配置を変化させる手段と、
（ｂ）前記操作部材における単位変位量あたりの前記レンズ配置の変化量を変更する変更手段と、
（ｃ）各レンズ配置について前記撮像部における合焦度合いを検出する検出手段と、
（ｄ）前記合焦度合いの増加に応じて、前記単位変位量あたりの前記レンズ配置の変化量を減少させる制御手段と、
を備えることを特徴とする撮像装置。
【請求項５】
請求項４に記載の撮像装置において、
（ｅ）前記操作入力に対する前記操作部材の操作負荷を変更する手段と、
（ｆ）前記合焦度合いの増加に応じて、前記操作負荷を増加させる手段と、
をさらに備えることを特徴とする撮像装置。
【発明の詳細な説明】
【０００１】
【発明の属する技術分野】
本発明は、操作入力による操作部材の変位に応じて撮影レンズに係るレンズ配置を変化させる撮像装置に関する。
【０００２】
【従来の技術】
従来の撮像装置においては、例えばフォーカスリングを回転させマニュアルフォーカス操作を行う際に、合焦操作の容易さが問題となる。
【０００３】
この合焦操作の操作性向上のためには、適切な操作トルクを設定することに加えて、フォーカシング操作に対しピント合わせ感度、すなわち実際に光学系（フォーカスレンズ）が移動される量の設定が重要となる。
【０００４】
例えば、特許文献１では、フォーカスリングを手動操作する際、空気流量を調整する弁を用いて操作トルクを好みの値に設定できる技術が開示されている。
【０００５】
また、特許文献２では、撮影レンズの焦点距離や絞り値によらず、ピント合わせの感度が一定になる技術が開示されている。
【０００６】
【特許文献１】
特開平７−１９９０３５
【特許文献２】
特開平７−２７４０５３
【０００７】
【発明が解決しようとする課題】
しかしながら、上記の特許文献１に記載の技術では、マニュアルフォーカス操作の際には合焦位置に関わらず操作トルクが一定となるため、過大な操作トルクに設定した場合、デフォーカス状態から一気に合焦位置にもっていく際にフォーカスリングが重くピント合わせが良好でなかったり、時間がかかってシャッターチャンスを逃す問題がある。一方、過小な操作トルクに設定した場合、デフォーカス状態から一気に合焦状態にもっていく際にフォーカスリングが軽く過度な操作により合焦位置を行き過ぎてしまうため、迅速なピント合わせが困難となる。
【０００８】
さらに、特許文献２の技術では、トルク制御に複雑な機構を採用するため、鏡胴部分が大型となり重たくなって良好な撮影操作が難しく、また合焦位置近傍の微妙なフォーカシング操作が困難であり、操作性が必ずしも良好でない。
【０００９】
本発明は、上記課題に鑑みてなされたものであり、マニュアルフォーカス操作に際に、適切な操作性およびピント合わせ感度を実現できる撮像装置を提供することを目的とする。
【００１０】
【課題を解決するための手段】
上記の課題を解決するため、請求項１の発明は、撮影レンズと撮像部とを有する撮像装置であって、（ａ）操作入力による操作部材の変位に応じて、前記撮影レンズに係るレンズ配置を変化させる手段と、（ｂ）前記操作入力に対する前記操作部材の操作負荷を変更する変更手段と、（ｃ）各レンズ配置について前記撮像部における合焦度合いを検出する検出手段と、（ｄ）前記合焦度合いの増加に応じて、前記操作負荷を増加させる制御手段とを備える。
【００１１】
また、請求項２の発明は、請求項１の発明に係る撮像装置において、（ｅ）前記操作部材の変位に連動して回転されるモータを有する電気回路、をさらに備え、前記変更手段は、（ｂ−１）前記電気回路の特性を変化させることにより、前記操作負荷を変更する手段を有する。
【００１２】
また、請求項３の発明は、請求項１または請求項２の発明に係る撮像装置において、（ｆ）前記操作部材に圧接する圧接部材、をさらに備え、前記変更手段は、（ｂ−２）前記操作部材に対する前記圧接部材の加圧力を変化させることにより、前記操作負荷を変更する手段をさらに有する。
【００１３】
また、請求項４の発明は、撮影レンズと撮像部とを有する撮像装置であって、（ａ）操作入力による操作部材の変位に応じて、前記撮影レンズに係るレンズ配置を変化させる手段と、（ｂ）前記操作部材における単位変位量あたりの前記レンズ配置の変化量を変更する変更手段と、（ｃ）各レンズ配置について前記撮像部における合焦度合いを検出する検出手段と、（ｄ）前記合焦度合いの増加に応じて、前記単位変位量あたりの前記レンズ配置の変化量を減少させる制御手段とを備える。
【００１４】
また、請求項５の発明は、請求項４の発明に係る撮像装置において、（ｅ）前記操作入力に対する前記操作部材の操作負荷を変更する手段と、（ｆ）前記合焦度合いの増加に応じて、前記操作負荷を増加させる手段とをさらに備える。
【００１５】
【発明の実施の形態】
＜第１実施形態＞
＜撮像装置の要部構成＞
図１および図２は、本発明の第１実施形態に係る撮像装置１Ａを示す斜視図である。なお、図１および図２には方位関係を明確にするためにお互いに直交するＸ，Ｙ，Ｚの三軸を示している。
【００１６】
撮像装置１Ａは、デジタルカメラとして構成されており、箱型の形状を有するカメラ本体１０と、撮影レンズ１１とを備えている。この撮像レンズ１１には、フォーカスリング１２が設けられている。
【００１７】
撮影レンズ１１は、光軸ＬＡの方向に沿って駆動可能なレンズ系を有しており、当該レンズ系を光軸方向に移動させることにより、撮像素子１５（後述）に結像される被写体像の合焦状態を実現できるように構成されている。
【００１８】
フォーカスリング１２は、円筒形状を有しており、光軸ＬＡを中心として方向ＲＤに回動操作が可能となっている。このフォーカスリング１２を撮影者が操作することにより、撮影レンズ１１内の複数のレンズが移動し、被写体の合焦状態が変化する。
【００１９】
撮像装置１Ａの上面には、シャッターボタン１３が設けられている。このシャッターボタン１３は、被写体の撮影を行うときに撮影者が押下操作を行って撮像装置１Ａに撮影指示を与えるボタンである。
【００２０】
撮像装置１Ｂの背面には、例えば液晶ディスプレイで構成される表示部１４が設けられている。この表示部１４では、撮影準備段階つまり本撮影前に被写体を動画的態様で表示するライブビュー表示や、シャッターボタン１３で撮影が指示されて撮影した画像等の表示を行う。
【００２１】
図３は、撮像装置１Ａの機能ブロックを示す図である。
【００２２】
撮像装置１Ａは、フォーカスレンズ１１ａとズームレンズ１１ｂとを有する撮影レンズ１１の奥に設けられる撮像素子１５と、撮像素子１５にデータ伝送可能に接続する信号処理回路１６と、信号処理回路１６に伝送可能に接続する画像処理部１７とを有している。また、撮像装置１Ａは、画像処理部１７に伝送可能に接続する制御部１８およびメモリ１９を有している。
【００２３】
撮像素子１５は、例えばＣＣＤ（Ｃｈａｒｇｅ　Ｃｏｕｐｌｅｄ　Ｄｅｖｉｃｅ）で構成されており、撮影レンズ１１によって結像する被写体像を電気信号に変換する。
【００２４】
信号処理回路１６は、撮像素子１５から出力されるアナログの画像信号に対して、ゲイン・コントロール、サンプル・ホールドおよびＡ／Ｄ変換を施し、デジタル信号を生成する部位である。
【００２５】
画像処理部１７は、信号処理回路１６から出力される画像データに対して、色補正や階調補正などの画像処理を行う。この画像処理部１７で画像処理された画像データは、一旦メモリ１９に記憶された後に、撮像装置１Ａに対して着脱自在のメモリカード９に記録される。また、本撮影された画像を表示する場合には、メモリ１９またはメモリカード９に格納される画像データを画像処理部１７で変換し、表示部１４に表示することとなる。
【００２６】
制御部１８は、ＣＰＵおよびメモリを有しており、撮像装置１Ａを統括制御する部位である。また、制御部１８は、メモリ１９に格納された画像データに基づき、撮影レンズ１１の各レンズ配置について撮像素子１５における合焦度合いを検出する評価値演算部１８ａを有している。この評価値演算部１８ａでは、合焦度合いの指標として例えば隣接する各画素に関する差分の絶対値の和である焦点評価値（合焦評価値）が算出される。
【００２７】
また、撮像装置１Ａは、Ａ／Ｄコンバータ２１〜２３とＤ／Ａコンバータ２４、２５とを有するとともに、フォーカスリング１２の回転角度を検出する位置検出器（ポテンショ・メータ）２６を備えている。さらに、撮像装置１Ａは、フォーカスレンズ１１ａおよびズームレンズ１１ｂを駆動するフォーカスレンズ駆動モータ２７、ズームレンズ駆動モータ２８を備えるとともに、フォーカスレンズ１１ａおよびズームレンズ１１ｂのレンズ位置を検出するための位置検出器３１、３２を備えている。
【００２８】
位置検出器２６は、カメラ本体１０に対するフォーカスリング１２の相対的な回動角度の情報を取得し、Ａ／Ｄコンバータ２１に出力する。
【００２９】
駆動モータ２７、２８は、それぞれズームレンズ１１ａおよびズームレンズ１１ｂのレンズ位置を変更するアクチュエータであり、Ｄ／Ａコンバータ２４、２５に接続するモータ駆動回路３３、３４で駆動される。
【００３０】
位置検出器３１、３２は、駆動モータ２７、２８の回転軸などに接続することにより、それぞれズームレンズ１１ａおよびズームレンズ１１ｂのレンズ位置情報を取得し、Ａ／Ｄコンバータ２２、２３に出力する。
【００３１】
以上のような構成を有する撮像装置１Ａにおいて、撮影者がフォーカスリング１２を操作する際のフォーカスレンズ１１ａの動作を説明する。
【００３２】
＜フォーカスレンズ１１ａの動作について＞
撮像装置１Ａでは、表示部１４でライブビュー表示される撮影準備段階において撮影者がピント合わせを行う場合、フォーカスリング１２を方向ＲＤに回動する操作によりピント調整が行われる。このマニュアルフォーカス操作の際には、フォーカスリング１２が操作されることによって、フォーカスレンズ１１ａのレンズ位置が移動することとなるが、この動作を以下で詳しく説明する。
【００３３】
フォーカスリング１１ａが方向ＲＤに操作されると、位置検出器２６で検出されるフォーカスリング１１ａの回転角度情報が、Ａ／Ｄコンバータ２１でデジタル信号に変換されて制御部１８に入力される。制御部１８は、この回転角度情報に基づき、フォーカスレンズ１１ａの移動量を算出する。そして、制御部１８は、算出されたフォーカスレンズ１１ａの移動量に相当する駆動信号を、Ｄ／Ａコンバータ２４を介してフォーカスモータ駆動回路３３に送り、この移動量だけフォーカスレンズ１１ａを移動させる。このような動作により、操作入力によるフォーカスリング１２（操作部材）の変位に応じて、撮影レンズ１１に係るレンズ配置が変化し、ピント調整が可能となる。
【００３４】
ここで、フォーカスレンズ１１ａが実際に移動する量（実移動量）は、次の式（１）により制御される。
【００３５】
（フォーカスレンス゛実移動量）＝（フォーカスレンス゛仮移動量）×（移動量係数）・・・（１）：
上式（１）右辺のフォーカスレンズ仮移動量は、図４に示すようにフォーカスリング１２の移動量（回転量）に比例した値として算出される。
【００３６】
上式（１）右辺の移動量係数は、図５に示すように、評価値演算部１８ａで算出される焦点評価値がＰｍｉｎ〜Ｐｍａｘである場合には、焦点評価値が増加する、つまり合焦位置に近づくにつれて減少するように設定されている。さらに、焦点評価値がＰｍｉｎ以下の場合には、移動量係数が最大の「１」を維持するように、また焦点評価値がＰｍａｘ以上の場合には移動量係数が最小のαｍｉｎを維持するように設定されている。
【００３７】
図６は、焦点距離と焦点評価値およびフォーカスレンズ１１ａの実移動量との関係を示す図である。本図では、焦点距離と焦点評価値との関係を実線Ｃａで示し、焦点距離とフォーカスレンズ１１ａの実移動量との関係を一点鎖線Ｃｂで示している。
【００３８】
フォーカスリング１２を回転させる場合には、レンズ位置が移動するため焦点距離が変化するが、一点鎖線Ｃｂのように、焦点評価値が大きい場合、特にＰｍａｘを越える場合には、フォーカスレンズ１１ａの実移動量が抑制されるため、合焦状態に近くなるとフォーカスレンズ１１ａの実移動量が減少することとなる。
【００３９】
以上のようなフォーカスレンズ１１ａの動作により、フォーカスレンズ１１ａの実移動量を、上述したようにフォーカスレンズ仮移動量と移動量係数との積に設定することにより、フォーカスリング１２における単位変位量あたりのフォーカスレンズ１１ａの移動量つまりレンズ配置の変化量を変更できる。そして、焦点評価値（合焦度合い）の増加に応じて、この単位変位量あたりのフォーカスレンズ１１ａの移動量を減少させることで、焦点評価値が大きいフォーカスレンズ１１ａのレンズ位置では、フォーカスレンズ１１ａの位置調整つまりピント合わせをより高精度に行えることとなる。すなわち、ピントが合いそうな場合には、フォーカスレンズ１１ａの制御分解能を高めることが可能となる。
【００４０】
したがって、撮像装置１Ａにおいては、マニュアルフォーカス操作の際に、適切な操作性およびピント合わせ感度を実現できることとなる。
【００４１】
なお、フォーカスリング１２の移動量とフォーカスレンズ１１ａの仮移動量との関係は、図４に示す関係であるのは必須でなく、図７に示す関係や図８に示す関係などフォーカスリング１２の移動量が増加するのに伴い、フォーカスレンズ１１ａの仮移動量が増加する関係であれば良い。
【００４２】
また、焦点評価値と移動量係数との関係は、図５に示す関係であるのは必須でなく、図９に示す関係や図１０に示す関係など焦点評価値が増加するのに伴い、移動量係数が減少する関係でれば良い。
【００４３】
＜第２実施形態＞
＜撮像装置の要部構成＞
本発明の第２実施形態に係る撮像装置１Ｂについては、図１および図２に示す撮像装置１Ａと同一の外観を有している。
【００４４】
図１１は、撮像装置１Ｂの機能ブロックを示す図である。
【００４５】
撮像装置１Ｂは、図３に示す撮像装置１Ａの機能ブロックと類似の構成となっているが、制御負荷発生器３５とＤ／Ａコンバータ３６とが付加される点が異なっている。
【００４６】
図１２は、制御負荷発生器３５の構成を説明するための図である。
【００４７】
制御負荷発生器３５は、本体部３５ａと圧接部材３５ｂとを備えている。
【００４８】
本体部３５ａは、例えば圧電素子などを利用したアクチュエータと圧力センサとを有しており、圧力制御が可能な構成となっている。
【００４９】
圧接部材３５ｂは、本体部３５ａにより、フォーカスリング１２内側の歯車１２ｇ（平行斜線部）の側面に押し付けられる。
【００５０】
このような制御負荷発生器３５の構成により、本体部３５ａで歯車１２ｇの側面に対する圧接部材３５ｂの加圧力を変化させることで、圧接部材３５ｂと歯車１２ｇとの摩擦力が変化する。これにより、フォーカスリング１２を撮影者が操作する際に、制御部１８がＤ／Ａコンバータ３６を介して制御負荷発生器３５に加圧力に関する制御信号を送ることで、フォーカスリング１２の負荷トルク（制御負荷量）が変更できる。
【００５１】
＜フォーカスレンズ１１ａの動作について＞
撮像装置１Ｂでは、第１実施形態と同様に、表示部１４でライブビュー表示される撮影準備段階において、撮影者がピント合わせを行う場合、フォーカスリング１２を方向ＲＤに回動する操作によりピント調整が行われる。このマニュアルフォーカス操作の際には、フォーカスリング１２の負荷トルク（制御負荷量）が変化することとなるが、この動作を以下で詳しく説明する。
【００５２】
図１３は、焦点評価値と制御負荷量との関係を示す図である。
【００５３】
制御負荷量（操作負荷）は、評価値演算部１８ａで算出される焦点評価値がＰｍｉｎ〜Ｐｍａｘである場合には、焦点評価値が増加する、つまり合焦状態に近くなるにつれて増加するように設定されている。さらに、焦点評価値がＰｍｉｎ以下の場合には、制御負荷量が最小トルクＴｍｉｎを維持するように、また焦点評価値がＰｍａｘ以上の場合には、制御負荷量が最大トルクＴｍａｘを維持するように設定されている。そして、制御部１８で演算された制御負荷量に相当する制御信号をＤ／Ａコンバータ３６を介して制御負荷発生器３５に伝達し、フォーカスリング１２の負荷トルクが調整されることとなる。
【００５４】
以上のようなフォーカスレンズ１１ａの動作により、焦点評価値が大きい、つまり合焦が近い場合には、フォーカスリング１２の負荷トルクを相対的に大きくできる。すなわち、合焦度合いの増加に応じてフォーカスリング１２の操作負荷を増加させることにより、撮影者によるフォーカスリング１２の不用意な回動を防止できるとともに、過度な回動によるフォーカスポイントの通過を防ぎ、より的確なフォーカスレンズ１１ａの制御が可能となる。
【００５５】
したがって、撮像装置１Ｂにおいても、第１実施形態と同様に、マニュアルフォーカス操作に際に、適切な操作性およびピント合わせ感度を実現できることとなる。
【００５６】
なお、制御負荷発生器３５については、図１２に示す構成であるのは必須でなく、以下で説明する構成の制御負荷発生器３５ｒでも良い。
【００５７】
図１４は、制御負荷発生器３５ｒを説明するための図である。
【００５８】
制御負荷発生器３５ｒは、モータ３５ｃと、モータ３５ｃと配線３５ｄを介して電気的に接続する可変抵抗３５ｅとを有する電気回路ＣＴを備えている。
【００５９】
モータ３５ｃは、その回転軸に設けられたギア３５ｆがフォーカスリング１２内側の歯車１２ｇ（平行斜線部）と噛み合っており、フォーカスリング１２の変位に連動し回転されるようになっている。また、このモータ３５ｃは、強制的な回転により端子から電力を発生する発電機として機能する。
【００６０】
可変抵抗３５ｅは、制御部１８からの制御信号により、その抵抗値を変更できる構成となっている。この可変抵抗３５ｅでは、フォーカスリング１２により回転されるモータ３５ｃが出力する電力を消費することとなるが、可変抵抗３５ｅの抵抗値を変化させることでこの電力量を変更できる。
【００６１】
このような制御負荷発生器３５ｒの構成により、可変抵抗３５ｅの抵抗値を変更し電気回路ＣＴの特性を変化させることにより、モータ３５ｃのギア３５ｆを回転させるのに必要な負荷トルクが変化する。これにより、フォーカスリング１２を撮影者が操作する場合、制御部１８はＤ／Ａコンバータ３６を介して制御負荷発生器３５ｒに制御信号を送ることで、ギア３５ｆに連動するフォーカスリング１２の負荷トルク（制御負荷量）を変更できることとなる。
【００６２】
この場合にも、図１３に示すようにフォーカスリング１２の制御負荷量（操作負荷）を制御すれば、マニュアルフォーカス操作に際に、適切な操作性およびピント合わせ感度を実現できることとなる。
【００６３】
また、以上のような制御負荷発生器３５ｒを有する撮像装置においては、フォーカスリング１２に対する撮影者の操作によりフォーカスレンズ１１ａを駆動する機能に加え、焦点評価値に基づきフォーカスレンズ１１ａをフォーカスレンズ駆動モータ２７で自動的に合焦駆動する機能が付加される場合でも、部品の増加を最小限に抑えることができることとなる。
【００６４】
＜変形例＞
◎撮像装置については、第１実施形態のように焦点評価値に基づきフォーカスレンズ１２の実移動量を制御する構成と、第２実施形態のように焦点評価値に基づき負荷トルクを制御する構成とを併せ持つ装置でも良い。
【００６５】
◎上記の各実施形態については、フォーカスリングのように回転操作される部材を使用するのは必須でなく、リニアに操作される操作部材を利用しても良い。
【００６６】
◎上記の各実施形態における撮像装置については、デジタルカメラとして構成されるのは必須でなく、フォーカスリングと評価値演算部とを有する銀塩カメラで構成されても良い。
【００６７】
【発明の効果】
以上説明したように、請求項１ないし請求項５の発明によれば、合焦度合いの増加に応じて操作部材の操作負荷を増加させるため、適切な操作性およびピント合わせ感度を実現できる。
【００６８】
特に、請求項２の発明においては、操作部材の変位に連動して回転されるモータを有する電気回路の特性を変化させることにより操作負荷を変更するため、操作負荷を簡易に変更できる。
【００６９】
また、請求項３の発明においては、操作部材に対する圧接部材の加圧力を変化させることにより操作負荷を変更するため、操作負荷を簡易に変更できる。
【００７０】
また、請求項４および請求項５の発明によれば、合焦度合いの増加に応じて操作部材における単位変位量あたりのレンズ配置の変化量を減少させるため、適切な操作性およびピント合わせ感度を実現できる。
【００７１】
特に、請求項５の発明においては、合焦度合いの増加に応じて操作部材の操作負荷を増加させるため、一層良好な操作性およびピント合わせ感度を実現できる。
【図面の簡単な説明】
【図１】本発明の第１実施形態に係る撮像装置１Ａを示す斜視図である。
【図２】撮像装置１Ａを示す斜視図である。
【図３】撮像装置１Ａの機能ブロックを示す図である。
【図４】フォーカスリング移動量とフォーカスレンズ仮移動量との関係を示す図である。
【図５】焦点評価値と移動量係数との関係を示す図である。
【図６】焦点距離と焦点評価値およびフォーカスレンズ実移動量との関係を示す図である。
【図７】フォーカスリング移動量とフォーカスレンズ仮移動量との関係を示す図である。
【図８】フォーカスリング移動量とフォーカスレンズ仮移動量との関係を示す図である。
【図９】焦点評価値と移動量係数との関係を示す図である。
【図１０】焦点評価値と移動量係数との関係を示す図である。
【図１１】本発明の第２実施形態に係る撮像装置１Ｂの機能ブロックを示す図である。
【図１２】制御負荷発生器３５の構成を説明するための図である。
【図１３】焦点評価値と制御負荷量との関係を表す図である。
【図１４】制御負荷発生器３５ｒの構成を説明するための図である。
【符号の説明】
１Ａ、１Ｂ　撮像装置
１１　撮影レンズ
１１ａ　フォーカスレンズ
１２　フォーカスリング
１８　制御部
１８ａ　評価値演算部
２６　位置検出器（ポテンショメータ）
２７　フォーカスレンズ駆動モータ
３５、３５ｒ　制御負荷発生器
３５ａ　本体部
３５ｂ　圧接部材
３５ｃ　モータ
３５ｅ　可変抵抗
【図１】
2004102113.tif 000003
【図２】
2004102113.tif 000004
【図３】
2004102113.tif 000005
【図４】
2004102113.tif 000006
【図５】
2004102113.tif 000007
【図６】
2004102113.tif 000008
【図７】
2004102113.tif 000009
【図８】
2004102113.tif 000010
【図９】
2004102113.tif 000011
【図１０】
2004102113.tif 000012
【図１１】
2004102113.tif 000013
【図１２】
2004102113.tif 000014
【図１３】
2004102113.tif 000015
【図１４】
2004102113.tif 000016